(57)【要約】【課題】サーバから配信されるコンテンツを再生する装置の消費電力を削減する。【解決手段】NFC通信部は、ICカードと近接無線通信を行い、コンテンツを利用するためのライセンス情報および認証間隔情報を取得する。ネットワーク通信部は、ライセンス認証サーバにライセンス情報を送信し、ライセンス情報の認証が成功した場合にコンテンツ配信サーバから送信されるコンテンツを取得する。制御部は、コンテンツ配信サーバから取得したコンテンツを再生する。NFC通信部は、コンテンツの再生中に、認証間隔情報に基づいて、定期的にライセンス情報を取得するためにICカードとの近接無線通信を試み、制御部は、ICカードから取得したライセンス情報による再認証の結果に基づいて、コンテンツの再生を継続または停止する。本技術は、例えば、コンテンツ配信システムの端末装置に適用できる。【選択図】図２
2012205210.tif 000002
【特許請求の範囲】
【請求項１】
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得する第１の通信部と、
前記ライセンス情報の認証を行うサーバに前記通信装置から取得した前記ライセンス情報を送信し、前記ライセンス情報の認証が成功した場合に前記コンテンツを配信するサーバから送信される前記コンテンツを取得する第２の通信部と、
前記コンテンツを配信するサーバから取得した前記コンテンツを再生する再生部と
を備え、
前記第１の通信部は、前記コンテンツの再生中に、前記認証間隔情報に基づいて、定期的に前記ライセンス情報を取得するために前記通信装置との近接無線通信を試み、
前記再生部は、前記コンテンツの再生中に前記通信装置から取得した前記ライセンス情報による再認証の結果に基づいて、前記コンテンツの再生を継続または停止する
情報処理装置。
【請求項２】
前記第１の通信部は、前記コンテンツの再生中に、前記認証間隔情報に基づく前記ライセンス情報の有効期限前の所定の第１の期間および前記有効期限後の所定の第２の期間の少なくとも一方において、前記ライセンス情報を取得するために前記通信装置との近接無線通信を試みる
請求項１に記載の情報処理装置。
【請求項３】
前記第１の期間および前記第２の期間の少なくとも一方において、前記ライセンス情報の再認証の実行をユーザに促す通知を行う通知部を
さらに備える請求項２に記載の情報処理装置。
【請求項４】
前記第１の通信部は、前記第１の期間および前記第２の期間の少なくとも一方において、ユーザ操作により前記ライセンス情報を取得するために前記通信装置との近接無線通信を試みる
請求項２に記載の情報処理装置。
【請求項５】
前記再生部は、前記有効期限が経過してから前記ライセンス情報の再認証が成功するまでの間、前記コンテンツの再生を停止する
請求項２に記載の情報処理装置。
【請求項６】
前記第２の通信部は、前記ライセンス情報および前記認証間隔情報を前記通信装置から取得するためのコマンドを前記ライセンス情報の認証を行うサーバから取得し、
前記第１の通信部は、前記ライセンス情報の認証を行うサーバから取得した前記コマンドを用いて前記ライセンス情報および前記認証間隔情報を前記通信装置から取得する
請求項１に記載の情報処理装置。
【請求項７】
前記ライセンス情報は暗号化された状態で前記通信装置に格納され、前記認証間隔情報は暗号化されていない状態で前記通信装置に格納され、
前記第２の通信部は、前記コマンドを用いて取得した前記ライセンス情報を暗号化されたまま前記ライセンス情報の認証を行うサーバに送信する
請求項６に記載の情報処理装置。
【請求項８】
前記第２の通信部は、前記コンテンツの再生中に前記通信装置から取得した前記ライセンス情報を前記ライセンス情報の認証を行うサーバに送信し、
前記再生部は、前記ライセンス情報の認証を行うサーバによる前記ライセンス情報の再認証の結果に基づいて、前記コンテンツの再生を継続または停止する
請求項１に記載の情報処理装置。
【請求項９】
前記ライセンス情報の再認証を行う再認証部をさらに備え、
前記再生部は、前記再認証部による前記ライセンス情報の再認証の結果に基づいて、前記コンテンツの再生を継続または停止する
請求項１に記載の情報処理装置。
【請求項１０】
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得し、
前記ライセンス情報の認証を行うサーバに前記通信装置から取得した前記ライセンス情報を送信し、
前記ライセンス情報の認証が成功した場合に前記コンテンツを配信するサーバから送信される前記コンテンツを取得し、
前記コンテンツを配信するサーバから取得した前記コンテンツを再生し、
前記コンテンツの再生中に、前記認証間隔情報に基づいて、定期的に前記ライセンス情報を取得するために前記通信装置との近接無線通信を試み、
前記コンテンツの再生中に前記通信装置から取得した前記ライセンス情報による再認証の結果に基づいて、前記コンテンツの再生を継続または停止する
ステップを含む情報処理方法。
【請求項１１】
所定のコンテンツを利用するためのライセンス情報および前記ライセンス情報の再認証を行う間隔を示す認証間隔情報を格納する記憶部と、
前記コンテンツを再生する情報処理装置と近接無線通信を行い、前記情報処理装置からの要求に応じて、前記ライセンス情報および前記認証間隔情報を前記情報処理装置に送信する通信部と
を備える通信装置。
【請求項１２】
前記ライセンス情報は暗号化された状態で前記記憶部に格納され、前記認証間隔情報は暗号化されていない状態で前記記憶部に格納される
請求項１１に記載の通信装置。
【発明の詳細な説明】
【技術分野】
【０００１】
本技術は、情報処理装置、情報処理方法、および、通信装置に関し、特に、コンテンツ配信システムに用いて好適な情報処理装置、情報処理方法、および、通信装置に関する。
【背景技術】
【０００２】
従来、コンテンツ利用デバイスが、ライセンス格納デバイスから権利情報を読み出し、読み出した権利情報を用いて、コンテンツ配信サーバからコンテンツを受信し、再生するコンテンツ配信システムが提案されている（例えば、特許文献１参照）。
【先行技術文献】
【特許文献】
【０００３】
【特許文献１】特開２０１０−１９３４６７号公報
【発明の概要】
【発明が解決しようとする課題】
【０００４】
特許文献１に記載のコンテンツ配信システムでは、RHDチェックモードがYesの場合、コンテンツの再生中に、常時コンテンツ利用デバイスとライセンス格納デバイスとの間で認証処理を行う必要があり、消費電力が増大する。
【０００５】
本技術の目的は、サーバから配信されるコンテンツを再生する装置の消費電力を削減できるようにするものである。
【課題を解決するための手段】
【０００６】
本技術の第１の側面の情報処理装置は、所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得する第１の通信部と、前記ライセンス情報の認証を行うサーバに前記通信装置から取得した前記ライセンス情報を送信し、前記ライセンス情報の認証が成功した場合に前記コンテンツを配信するサーバから送信される前記コンテンツを取得する第２の通信部と、前記コンテンツを配信するサーバから取得した前記コンテンツを再生する再生部とを備え、前記第１の通信部は、前記コンテンツの再生中に、前記認証間隔情報に基づいて、定期的に前記ライセンス情報を取得するために前記通信装置との近接無線通信を試み、前記再生部は、前記コンテンツの再生中に前記通信装置から取得した前記ライセンス情報による再認証の結果に基づいて、前記コンテンツの再生を継続または停止する。
【０００７】
前記第１の通信部は、前記コンテンツの再生中に、前記認証間隔情報に基づく前記ライセンス情報の有効期限前の所定の第１の期間および前記有効期限後の所定の第２の期間の少なくとも一方において、前記ライセンス情報を取得するために前記通信装置との近接無線通信を試みるようにすることができる。
【０００８】
前記第１の期間および前記第２の期間の少なくとも一方において、前記ライセンス情報の再認証の実行をユーザに促す通知を行う通知部をさらに設けることができる。
【０００９】
前記第１の通信部は、前記第１の期間および前記第２の期間の少なくとも一方において、ユーザ操作により前記ライセンス情報を取得するために前記通信装置との近接無線通信を試みるようにすることができる。
【００１０】
前記再生部には、前記有効期限が経過してから前記ライセンス情報の再認証が成功するまでの間、前記コンテンツの再生を停止させるようにすることができる。
【００１１】
前記第２の通信部には、前記ライセンス情報および前記認証間隔情報を前記通信装置から取得するためのコマンドを前記ライセンス情報の認証を行うサーバから取得させ、前記第１の通信部には、前記ライセンス情報の認証を行うサーバから取得した前記コマンドを用いて前記ライセンス情報および前記認証間隔情報を前記通信装置から取得させるようにすることができる。
【００１２】
前記ライセンス情報は暗号化された状態で前記通信装置に格納され、前記認証間隔情報は暗号化されていない状態で前記通信装置に格納され、前記第２の通信部には、前記コマンドを用いて取得した前記ライセンス情報を暗号化されたまま前記ライセンス情報の認証を行うサーバに送信させるようにすることができる。
【００１３】
前記第２の通信部には、前記コンテンツの再生中に前記通信装置から取得した前記ライセンス情報を前記ライセンス情報の認証を行うサーバに送信させ、前記再生部には、前記ライセンス情報の認証を行うサーバによる前記ライセンス情報の再認証の結果に基づいて、前記コンテンツの再生を継続または停止させるようにすることができる。
【００１４】
前記ライセンス情報の再認証を行う再認証部をさらに設け、前記再生部には、前記再認証部による前記ライセンス情報の再認証の結果に基づいて、前記コンテンツの再生を継続または停止させるようにすることができる。
【００１５】
本技術の第１の側面の情報処理方法は、所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得し、前記ライセンス情報の認証を行うサーバに前記通信装置から取得した前記ライセンス情報を送信し、前記ライセンス情報の認証が成功した場合に前記コンテンツを配信するサーバから送信される前記コンテンツを取得し、前記コンテンツを配信するサーバから取得した前記コンテンツを再生し、前記コンテンツの再生中に、前記認証間隔情報に基づいて、定期的に前記ライセンス情報を取得するために前記通信装置との近接無線通信を試み、前記コンテンツの再生中に前記通信装置から取得した前記ライセンス情報による再認証の結果に基づいて、前記コンテンツの再生を継続または停止するステップを含む。
【００１６】
本技術の第２の側面の記憶装置は、所定のコンテンツを利用するためのライセンス情報および前記ライセンス情報の再認証を行う間隔を示す認証間隔情報を格納する記憶部と、前記コンテンツを再生する情報処理装置と近接無線通信を行い、前記情報処理装置からの要求に応じて、前記ライセンス情報および前記認証間隔情報を前記情報処理装置に送信する通信部とを備える。
【００１７】
前記ライセンス情報は暗号化された状態で前記記憶部に格納し、前記認証間隔情報は暗号化されていない状態で前記記憶部に格納するようにすることができる。
【００１８】
本技術の第１の側面においては、所定のコンテンツを利用するためのライセンス情報および前記ライセンス情報の再認証を行う間隔を示す認証間隔情報を格納する通信装置と近接無線通信が行われ、前記ライセンス情報および前記認証間隔情報が取得され、前記ライセンス情報の認証を行うサーバに前記通信装置から取得した前記ライセンス情報が送信され、前記ライセンス情報の認証が成功した場合に前記コンテンツを配信するサーバから送信される前記コンテンツが取得され、前記コンテンツを配信するサーバから取得した前記コンテンツが再生され、前記コンテンツの再生中に、前記認証間隔情報に基づいて、定期的に前記ライセンス情報を取得するために前記通信装置との近接無線通信が試みられ、前記コンテンツの再生中に前記通信装置から取得された前記ライセンス情報による再認証の結果に基づいて、前記コンテンツの再生が継続または停止される。
【００１９】
本技術の第２の側面においては、前記コンテンツを再生する情報処理装置と近接無線通信を行われ、前記情報処理装置からの要求に応じて、所定のコンテンツを利用するためのライセンス情報および前記ライセンス情報の再認証を行う間隔を示す認証間隔情報が前記情報処理装置に送信される。
【発明の効果】
【００２０】
本技術の第１または第２の側面によれば、サーバから配信されるコンテンツを再生する装置の消費電力を削減することができる。
【図面の簡単な説明】
【００２１】
【図１】本技術を適用したコンテンツ配信システムの一実施の形態を示すブロック図である。
【図２】コンテンツ再生デバイスの構成例を示すブロック図である。
【図３】コンテンツ再生デバイスの制御部により実現される機能の構成例を示すブロック図である。
【図４】ICカードの機能の構成例を示すブロック図である。
【図５】ICカードの不揮発性メモリの内容の例を示す図である。
【図６】コンテンツ再生処理を説明するためのフローチャートである。
【図７】コンテンツ再生処理を説明するためのフローチャートである。
【図８】コンテンツ再生処理を説明するためのフローチャートである。
【図９】コンテンツ再生処理を説明するためのフローチャートである。
【図１０】コンテンツ再生処理を説明するためのシーケンス図である。
【図１１】コンテンツ再生デバイスの表示部に表示される画面の例を示す図である。
【発明を実施するための形態】
【００２２】
以下、本技術を実施するための形態（以下、実施の形態という）について説明する。なお、説明は以下の順序で行う。
１．実施の形態
２．変形例
【００２３】
＜１．実施の形態＞
［情報処理システムの構成例］
図１は、本技術を適用したコンテンツ配信システムの一実施の形態を示すブロック図である。
【００２４】
図１のコンテンツ配信システム１は、インターネット１５を介してコンテンツを配信するネットワーク配信型のコンテンツ配信システムである。コンテンツ配信システム１で配信されるコンテンツには、例えば、動画データ、音声データ等、連続再生されるコンテンツが含まれる。
【００２５】
コンテンツ配信システム１は、コンテンツ再生デバイス１１、ICカード１２、ライセンス認証サーバ１３、および、コンテンツ配信サーバ１４を含むように構成される。コンテンツ再生デバイス１１、ライセンス認証サーバ１３、および、コンテンツ配信サーバ１４は、インターネット１５を介して相互に接続されている。
【００２６】
コンテンツ再生デバイス１１は、コンテンツ配信システム１の端末装置であり、コンテンツ配信サーバ１４から配信されるコンテンツを受信し、受信したコンテンツの再生を行う。コンテンツ再生デバイス１１は、例えば、携帯情報端末、携帯電話機、携帯動画プレーヤ、携帯音楽プレーヤ等の携帯型の装置や、パーソナルコンピュータ、テレビジョンセット、動画プレーヤ、音楽プレーヤなど据え置き型の装置により構成される。もちろん、コンテンツ再生デバイス１１が、コンテンツを記録する機能を備えるようにしてもよい。
【００２７】
また、コンテンツ再生デバイス１１は、表示部３１およびNFC（Near Field Communication）通信部３２を備えている。
【００２８】
表示部３１は、例えば、LCD（Liquid Crystal Display）、有機ELディスプレイ、プラズマディスプレイ等により構成される。表示部３１は、再生するコンテンツが画像を含む場合、その画像を表示する。また、表示部３１は、コンテンツ再生デバイス１１の操作表示や状態表示等を行う。
【００２９】
NFC通信部３２は、ICカード１２とNFCに準拠した近接無線通信を行い、ICカード１２とデータの送受信を行う。
【００３０】
ここで、近接無線通信とは、通信する装置どうしの距離が、数10cm以内となって可能となる通信を意味し、通信する装置同士（の筐体）が接触して行う通信も含まれる。
【００３１】
ICカード１２は、コンテンツ配信サーバ１４から配信されるコンテンツを利用するためのライセンス情報を格納する。また、ICカード１２は、保有する各ライセンス情報に対応し、コンテンツの再生中に当該ライセンス情報の再認証を行う間隔を示す認証間隔情報を格納する。
【００３２】
また、ICカード１２は、コンテンツ再生デバイス１１およびインターネット１５を介して、ライセンス認証サーバ１３と通信を行う。そして、ICカード１２は、ライセンス情報サーバ１３からライセンス情報を受信し、記憶したり、保有しているライセンス情報をライセンス認証サーバ１３に送信したりする。また、ICカード１２は、保有している認証間隔情報を、コンテンツ再生デバイス１１に送信する。
【００３３】
ライセンス認証サーバ１３は、コンテンツ配信サーバ１４が保有する各コンテンツのライセンス情報および認証間隔情報を保有する。そして、ライセンス認証サーバ１３は、ライセンス情報および認証間隔情報の提供、および、ライセンス情報の認証を行う。また、ライセンス認証サーバ１３は、認証に成功したライセンス情報を、インターネット１５を介してコンテンツ配信サーバ１４に送信する。
【００３４】
さらに、ライセンス認証サーバ１３は、コンテンツ配信サーバ１４が保有するコンテンツの一覧や、ユーザがICカード１２を用いて取得したライセンス情報に対応するコンテンツの一覧を、インターネット１５を介してコンテンツ再生デバイス１１に送信する。
【００３５】
コンテンツ配信サーバ１４は、各種のコンテンツを保有し、保有しているコンテンツをコンテンツ再生デバイス１１に配信する。
【００３６】
なお、以下、コンテンツ再生デバイス１１、ライセンス認証サーバ１３、および、コンテンツ配信サーバ１４との間の通信において、インターネット１５の記載を省略するものとする。例えば、コンテンツ再生デバイス１１とライセンス認証サーバ１３がインターネット１５を介して通信を行うことを、コンテンツ再生デバイス１１とライセンス認証サーバ１３が通信を行うと記載するものとする。
【００３７】
また、図１では、説明を簡単にするために、コンテンツ再生デバイス１１、ICカード１２、ライセンス認証サーバ１３、および、コンテンツ配信サーバ１４をそれぞれ１つずつ図示しているが、それぞれ２以上の任意の数とすることができる。
【００３８】
［コンテンツ配信システム１の利用形態］
ここで、コンテンツ配信システム１の利用形態の一例について説明する。
【００３９】
まず、コンテンツ配信サーバ１４のコンテンツを利用するために、ライセンス情報を取得する場合について説明する。
【００４０】
ライセンス情報を取得する方法には、少なくとも２つの方法がある。
【００４１】
第１の方法は、コンテンツ再生デバイス１１およびICカード１２を用いて、ライセンス認証サーバ１３からライセンス情報を取得する方法である。
【００４２】
具体的には、例えば、コンテンツ再生デバイス１１は、コンテンツ配信サーバ１４が保有するコンテンツの一覧をライセンス認証サーバ１３から取得し、表示部３１に表示する。ユーザは、表示部３１に表示されているコンテンツの一覧の中から所望のコンテンツを選択するとともに、ICカード１２をコンテンツ再生デバイス１１のNFC通信部３２に近接させる。コンテンツ再生デバイス１１は、ICカード１２の識別用のID情報であるIDmをICカード１２から読み出し、ユーザにより選択されたコンテンツを示す情報とIDmをライセンス認証サーバ１３に送信する。
【００４３】
ライセンス認証サーバ１３は、指定されたコンテンツのライセンス情報および認証間隔情報をコンテンツ再生デバイス１１に送信する。また、ライセンス認証サーバ１３は、コンテンツ再生デバイス１１から送信されてきたIDmを、提供したライセンス情報と関連付けて記憶する。
【００４４】
ICカード１２は、ライセンス認証サーバ１３から送信されたライセンス情報および認証間隔情報を、コンテンツ再生デバイス１１を介して受信し、記憶する。
【００４５】
このようにして、ユーザは、利用を希望するコンテンツのライセンス情報をライセンス認証サーバ１３から取得し、ICカード１２に格納することができる。
【００４６】
第２の方法は、ライセンス情報と認証間隔情報が予め格納されているICカード１２を購入するなどして取得する方法である。なお、このICカード１２のIDmは、ICカード１２に格納されているライセンス情報と関連付けられて、ライセンス認証サーバ１３に記憶される。また、このICカード１２を用いて、第１の方法により、ライセンス情報をライセンス認証サーバ１３から取得することも可能である。
【００４７】
次に、ICカード１２に格納されているライセンス情報を用いてコンテンツを利用する場合について説明する。
【００４８】
例えば、ユーザは、コンテンツ再生デバイス１１に対して所定の操作を行った後、NFC通信部３２にICカード１２を近接させる。コンテンツ再生デバイス１１は、ICカード１２からIDmを読み出し、ライセンス認証サーバ１３に送信する。ライセンス認証サーバ１３は、取得したIDmに関連付けられているライセンス情報に対応するコンテンツの一覧をコンテンツ再生デバイス１１に送信する。
【００４９】
コンテンツ再生デバイス１１は、取得したコンテンツ一覧を表示部３１に表示し、ユーザは、表示されたコンテンツ一覧の中から再生したいコンテンツを選択する。コンテンツ再生デバイス１１は、選択されたコンテンツを示す情報をライセンス認証サーバ１３に送信する。
【００５０】
ライセンス認証サーバ１３は、コンテンツ再生デバイス１１を介してICカード１２と相互認証を行った後、ユーザにより選択されたコンテンツのライセンス情報をICカード１２から取得する。ライセンス認証サーバ１３は、取得したライセンス情報の認証を行い、認証に成功した場合、そのライセンス情報をコンテンツ配信サーバ１４に送信する。
【００５１】
コンテンツ配信サーバ１４は、取得したライセンス情報に対応するコンテンツをコンテンツ再生デバイス１１に送信する。コンテンツ再生デバイス１１は、受信したコンテンツを再生する。
【００５２】
また、ライセンス認証サーバ１３は、コンテンツの再生中に定期的に、コンテンツ再生デバイス１１を介して、再生中のコンテンツのライセンス情報をICカード１２から取得し、ライセンス情報の再認証を行う。
【００５３】
ライセンス認証サーバ１３は、ライセンス情報の再認証に成功した場合、そのライセンス情報をコンテンツ配信サーバ１４に送信する。そして、コンテンツ配信サーバ１４は、コンテンツ再生デバイス１１へのコンテンツの送信を継続し、コンテンツ再生デバイス１１はコンテンツの再生を継続する。
【００５４】
一方、ライセンス情報の再認証に失敗した場合、コンテンツ配信サーバ１４は、コンテンツ再生デバイス１１へのコンテンツの送信を停止し、コンテンツ再生デバイス１１は、コンテンツの再生を停止する。
【００５５】
これにより、ICカード１２と別のコンテンツ再生デバイスの組み合わせにより、コンテンツ配信サーバ１４からコンテンツを受信し、再生することが可能になる。すなわち、ユーザは、コンテンツ配信サーバ１４が保有するコンテンツを、コンテンツを再生する装置を限定せずに、ICカード１２を用いて簡単に利用することができる。
【００５６】
［コンテンツ再生デバイス１１の構成例］
図２は、コンテンツ再生デバイス１１の構成例を示すブロック図である。
【００５７】
コンテンツ再生デバイス１１は、上述した表示部３１およびNFC通信部３２の他に、制御部３３、不揮発性メモリ３４、音声出力部３５、入力部３６、および、ネットワーク通信部３７を含むように構成される。
【００５８】
制御部３３は、例えば、CPU（Central Processing Unit）等のプロセッサにより構成される。制御部３３は、オペレーティングシステムや各種のプログラムを実行することにより、コンテンツ再生デバイス１１の制御を行ったり、コンテンツの再生処理を行ったりする。
【００５９】
不揮発性メモリ３４は、例えば、ハードディスクドライブ、EEPROM（Electrically Erasable Programmable Read-Only Memory）等により構成される。不揮発性メモリ３４は、制御部３３により実行されるプログラムや、制御部３３の処理に必要なデータ等を記憶する。
【００６０】
音声出力部３５は、例えば、スピーカ、音声出力端子等により構成される。音声出力部３５は、コンテンツの再生により得られる音声データに基づく音声、コンテンツ再生デバイス１１の使用における効果音やガイダンス等の音声を出力する。
【００６１】
入力部３６は、例えば、キー、タッチパネル等の入力デバイスにより構成される。入力部３６は、ユーザがコンテンツ再生デバイス１１に各種の指令やデータを入力するのに用いられる。
【００６２】
ネットワーク通信部３７は、所定の通信方式に従って、インターネット１５に接続し、ライセンス認証サーバ１３およびコンテンツ配信サーバ１４と通信を行う。
【００６３】
なお、ネットワーク通信部３７の通信方式は、有線または無線を問わず、任意の方式を採用することができる。
【００６４】
［コンテンツ再生デバイス１１の制御部３３の機能の構成例］
図３は、コンテンツ再生デバイス１１の制御部３３により実現される機能の構成例を示すブロック図である。
【００６５】
制御部３３は、認証処理部５１、通知部５２、コンテンツ受信部５３、コンテンツ再生部５４、表示制御部５５、および、音声出力制御部５６を含むように構成される。
【００６６】
認証処理部５１は、NFC通信部３２を介して、ICカード１２のIDmを取得する。また、認証処理部５１は、ネットワーク通信部３７を介して、ICカード１２のIDmをライセンス認証サーバ１３に送信し、送信したIDmに対応するコンテンツ一覧をライセンス認証サーバ１３から受信する。認証処理部５１は、受信したコンテンツ一覧を表示制御部５５に供給する。
【００６７】
また、認証処理部５１は、コンテンツ一覧の中から選択されたコンテンツを示す情報を入力部３６から取得する。さらに、認証処理部５１は、ICカード１２のIDm、および、ユーザにより選択されたコンテンツを示す情報を含むカード認証開始要求コマンド生成し、ネットワーク通信部３７を介して、ライセンス認証サーバ１３に送信する。また、認証処理部５１は、ICカード１２とライセンス認証サーバ１３との間の認証処理を仲介する。
【００６８】
さらに、認証処理部５１は、ネットワーク通信部３７を介して、ICカード１２からライセンス情報および認証間隔情報を読み出すためのReadコマンドを含むライセンス情報取得許可通知をライセンス認証サーバ１３から取得する。認証処理部５１は、そのReadコマンドを用いて、NFC通信部３２を介してICカード１２からライセンス情報および認証間隔情報を取得する。認証処理部５１は、取得したライセンス情報をコンテンツ受信部５３に供給する。
【００６９】
また、認証処理部５１は、ライセンス情報の認証の進行状況を通知部５２に通知する。さらに、認証処理部５１は、ライセンス情報の認証結果に従って、コンテンツの再生および再生の停止をコンテンツ再生部５４に指令する。
【００７０】
通知部５２は、ライセンス情報の認証の進行状況に応じてユーザに通知する情報を示す画像データおよび音声データを生成し、それぞれ表示制御部５５および音声出力制御部５６に供給する。
【００７１】
コンテンツ受信部５３は、ネットワーク通信部３７を介して、ライセンス情報をライセンス認証サーバ１３に送信し、送信したライセンス情報に対応するコンテンツをコンテンツ配信サーバ１４から受信する。コンテンツ受信部５３は、受信したコンテンツをコンテンツ再生部５４に供給する。また、コンテンツ受信部５３は、コンテンツの受信結果を認証処理部５１に通知する。
【００７２】
コンテンツ再生部５４は、コンテンツを再生し、その結果得られる画像データを表示制御部５５に供給し、音声データを音声出力制御部５６に供給する。
【００７３】
表示制御部５５は、通知部５２およびコンテンツ再生部５４から供給される画像データに基づく画像の表示部３１による表示を制御する。また、表示制御部５５は、認証処理部５１から供給されるコンテンツ一覧の表示部３１による表示を制御する。さらに、表示制御部５５は、表示部３１によるコンテンツ再生デバイスの操作表示や状態表示等を制御する。
【００７４】
音声出力制御部５６は、通知部５２およびコンテンツ再生部５４から供給される音声データに基づく音声の音声出力部３５からの出力を制御する。また、音声出力制御部５６は、操作音、効果音、ガイダンス音等の音声の音声出力部３５からの出力を制御する。
【００７５】
［ICカード１２の構成例］
図４は、ICカード１２の構成例を示すブロック図である。
【００７６】
ICカード１２は、制御部１０１、プログラム格納部１０２、揮発性メモリ１０３、不揮発性メモリ１０４ａ、不揮発性メモリ１０４ｂ、暗号処理部１０５、および、NFC通信部１０６を含むように構成される。
【００７７】
制御部３３は、例えば、CPU（Central Processing Unit）等のプロセッサにより構成される。制御部３３は、プログラム格納部１０２に格納されているプログラムを実行することにより、ICカード１２の制御を行う。
【００７８】
プログラム格納部１０２は、例えば、ROM（Read Only Memory）により構成され、制御部１０１が実行するプログラムを格納する。
【００７９】
揮発性メモリ１０３は、例えば、RAM（Random Access Memory）により構成され、制御部１０１の処理中に必要となるデータを一時的に記憶する。
【００８０】
不揮発性メモリ１０４ａは、EEPROMにより構成され、保持が必要なデータのうち暗号化されたデータを記憶する。
【００８１】
不揮発性メモリ１０４ｂは、EEPROMにより構成され、保持が必要なデータのうち暗号化されていないデータを記憶する。
【００８２】
例えば、図５に示されるように、不揮発性メモリ１０４ａには、コンテンツ１乃至ｎのライセンス情報が暗号化された状態で記憶される。また、不揮発性メモリ１０４ｂには、不揮発性メモリ１０４ａに記憶されているライセンス情報にそれぞれ対応する、コンテンツ１乃至ｎの認証間隔情報が暗号化されていない状態で記憶される。
【００８３】
暗号処理部１０５は、コンテンツ再生デバイス１１から受信したデータまたはコンテンツ再生デバイス１１に送信するデータの暗号化または復号を行う。
【００８４】
NFC通信部１０６は、コンテンツ再生デバイス１１のNFC通信部３２とNFCに準拠した近接無線通信を行う。
【００８５】
なお、点線で囲まれている制御部１０１から暗号処理部１０５までについては、ライセンス情報の盗聴や改ざん等に対して、耐タンパ性を確保するための対策が施されている。
【００８６】
［コンテンツ再生処理］
次に、図６乃至図９のフローチャート、および、図１０のシーケンス図を参照して、コンテンツ再生デバイス１１により実行されるコンテンツ再生処理について説明する。なお、この処理は、例えば、ユーザが入力部３６を操作して、コンテンツの再生処理の開始の指令を入力したとき開始される。また、この処理は、例えば、ユーザが入力部３６を操作して、コンテンツの再生処理の停止の指令を入力したとき終了する。
【００８７】
ステップＳ１において、コンテンツ再生デバイス１１は、ICカード１２の近接を促す。具体的には、認証処理部５１は、ライセンス情報の認証処理を開始することを通知部５２に通知する。通知部５２は、所定の画像データおよび音声データを生成し、それぞれ表示制御部５５および音声出力制御部５６に供給する。表示制御部５５は、取得した画像データに基づく画像を表示部３１に表示させ、音声出力制御部５６は、取得した音声データに基づく音声を音声出力部３５から出力させる。
【００８８】
これにより、例えば、コンテンツ再生デバイス１１のNFC通信部３２のアンテナ（不図示）にICカード１２を翳すようユーザに促す画像表示や音声出力が行われる。
【００８９】
ステップＳ２において、NFC通信部３２は、認証処理部５１の制御の下に、Pollingコマンドを送信する。すなわち、NFC通信部３２は、ICカード１２との近接無線通信を試みる。
【００９０】
ステップＳ３において、NFC通信部３２は、ICカード１２を捕捉したか否かを判定する。ICカード１２を捕捉していないと判定された場合、処理はステップＳ４に進む。
【００９１】
ステップＳ４において、認証処理部５１は、Pollingコマンドの送信を開始してから所定の時間が経過したか否かを判定する。Pollingコマンドの送信を開始してからまだ所定の時間が経過していないと判定された場合、処理はステップＳ２に戻る。
【００９２】
その後、ステップＳ３において、ICカード１２を捕捉したと判定されるか、ステップＳ４において、Pollingコマンドの送信を開始してから所定の時間が経過したと判定されるまで、ステップＳ２乃至Ｓ４の処理が繰り返し実行される。
【００９３】
一方、ステップＳ４において、Pollingコマンドの送信を開始してから所定の時間が経過したと判定された場合、すなわち、Pollingコマンドの送信を開始してから所定の時間内にICカード１２を捕捉できなかった場合、処理はステップＳ５に進む。
【００９４】
ステップＳ５において、コンテンツ再生デバイス１１は、異常終了を通知する。具体的には、認証処理部５１は、ICカード１２の捕捉に失敗したことを通知部５２に通知する。そして、ステップＳ１の処理と同様にして、例えば、ICカード１２からライセンス情報を取得できないためコンテンツを再生できない旨を伝える画像表示や音声出力が行われる。
【００９５】
その後、コンテンツ再生処理は終了する。
【００９６】
一方、ステップＳ３において、NFC通信部３２がPollingコマンドに対する応答コマンドをICカード１２から受信し、そのPollingコマンドが認証処理部５１に供給された場合、認証処理部５１は、ICカード１２を捕捉したと判定し、処理はステップＳ６に進む。
【００９７】
なお、この応答コマンドには、ICカード１２のIDmが含まれる。
【００９８】
ステップＳ６において、コンテンツ再生デバイス１１は、ライセンス認証サーバ１３にICカード１２のIDmに対応するコンテンツ一覧を要求する。具体的には、認証処理部５１は、ICカード１２のIDmに対応するコンテンツ一覧を要求するためのコンテンツ一覧要求コマンドを生成する。認証処理部５１は、生成したコンテンツ一覧要求コマンドを、ネットワーク通信部３７を介して、ライセンス認証サーバ１３に送信する。
【００９９】
ステップＳ７において、コンテンツ再生デバイス１１は、コンテンツ一覧を取得する。具体的には、ライセンス認証サーバ１３は、ICカード１２のIDmに関連づけられているライセンス情報に対応するコンテンツを検索する。そして、ライセンス認証サーバ１３は、検索の結果得られたコンテンツの一覧を生成し、コンテンツ再生デバイス１１に送信する。コンテンツ再生デバイス１１の認証処理部５１は、ネットワーク通信部３７を介して、そのコンテンツ一覧を受信する。
【０１００】
ステップＳ８において、認証処理部５１は、コンテンツの再生前であるか否かを判定する。コンテンツの再生前であると判定された場合、処理はステップＳ９に進む。
【０１０１】
ステップＳ９において、コンテンツ再生デバイス１１は、コンテンツ一覧を表示する。具体的には、認証処理部５１は、取得したコンテンツ一覧を表示制御部５５に供給する。表示制御部５５は、取得したコンテンツ一覧とともに、再生するコンテンツの選択を促すメッセージ等を表示部３１に表示させる。
【０１０２】
ステップＳ１０において、コンテンツ再生デバイス１１は、コンテンツの選択結果を取得する。具体的には、ユーザは、表示部３１に表示されているコンテンツ一覧の中から、入力部３６を操作して、再生を希望するコンテンツを選択する。入力部３６は、コンテンツの選択結果を示す情報を認証処理部５１に供給する。
【０１０３】
その後、処理はステップＳ１１に進む。
【０１０４】
一方、コンテンツを再生中であると判定された場合、ステップＳ９およびＳ１０の処理はスキップされ、処理はステップＳ１１に進む。
【０１０５】
なお、ここで、コンテンツを再生中の状態とは、後述するライセンス情報の再認証待ちのためにコンテンツの再生を一時停止している状態を含む。
【０１０６】
ステップＳ１１において、コンテンツ再生デバイス１１は、ライセンス認証サーバにICカード１２の認証を要求する。具体的には、認証処理部５１は、ICカード１２のIDm、および、ユーザにより選択されたコンテンツを示す情報を含むカード認証開始要求コマンドを生成する。認証処理部５１は、生成したカード認証開始要求コマンドを、ネットワーク通信部３７を介して、ライセンス認証サーバ１３に送信する。
【０１０７】
ステップＳ１２において、コンテンツ再生デバイス１１は、ライセンス認証サーバ１３から送られてくるAuthentication1コマンドをICカード１２に転送する。具体的には、ライセンス認証サーバ１３は、コンテンツ再生デバイス１１から受信したカード認証要求コマンドに対応して、Authentication1コマンドをコンテンツ再生デバイス１１に送信する。コンテンツ再生デバイス１１の認証処理部５１は、ネットワーク通信部３７を介してAuthentication1コマンドを受信し、受信したAuthentication1コマンドを、そのままNFC通信部３２を介してICカード１２に送信する。
【０１０８】
ステップＳ１３において、コンテンツ再生デバイス１１は、ICカード１２から送られてくるAuthentication1レスポンスをライセンス認証サーバ１３に転送する。具体的には、ICカード１２は、コンテンツ再生デバイス１１を介してライセンス認証サーバ１３から受信したAuthentication1コマンドに対応して、Authentication1レスポンスをコンテンツ再生デバイス１１に送信する。コンテンツ再生デバイス１１の認証処理部５１は、NFC通信部３２を介してAuthentication1レスポンスを受信し、受信したAuthentication1レスポンスを、そのままネットワーク通信部３７を介してライセンス認証サーバ１３に送信する。
【０１０９】
ステップＳ１４において、コンテンツ再生デバイス１１は、ライセンス認証サーバ１３から送られてくるAuthentication2コマンドをICカード１２に転送する。具体的には、ライセンス認証サーバ１３は、コンテンツ再生デバイス１１を介してICカード１２から受信したAuthentication1レスポンスに対応して、Authentication2コマンドをコンテンツ再生デバイス１１に送信する。コンテンツ再生デバイス１１の認証処理部５１は、ネットワーク通信部３７を介してAuthentication2コマンドを受信し、受信したAuthentication2コマンドを、そのままNFC通信部３２を介してICカード１２に送信する。
【０１１０】
ステップＳ１５において、コンテンツ再生デバイス１１は、ICカード１２から送られてくるAuthentication2レスポンスをライセンス認証サーバ１３に転送する。具体的には、ICカード１２は、コンテンツ再生デバイス１１を介してライセンス認証サーバ１３から受信したAuthentication2コマンドに対応して、Authentication2レスポンスをコンテンツ再生デバイス１１に送信する。コンテンツ再生デバイス１１の認証処理部５１は、NFC通信部３２を介してAuthentication2レスポンスを受信し、受信したAuthentication2レスポンスを、そのままネットワーク通信部３７を介してライセンス認証サーバ１３に送信する。
【０１１１】
このステップＳ１２乃至Ｓ１５の処理で、コンテンツ再生デバイス１１を介して、ICカード１２とライセンス認証サーバ１３との間で相互認証が行われる。なお、コンテンツ再生デバイス１１は、コマンドおよびレスポンスを転送する以外に、ICカード１２とライセンス認証サーバ１３との間の相互認証に特に関与せずに、通信路としての役割を果たす。
【０１１２】
ステップＳ１６において、認証処理部５１は、ライセンス認証サーバ１３からライセンス情報取得許可通知を受信したか否かを判定する。具体的には、ライセンス認証サーバ１３は、ICカード１２との間の相互認証が成功した場合、コンテンツ再生デバイス１１にライセンス情報取得許可通知を送信する。このライセンス情報取得許可通知には、ユーザにより選択されたコンテンツのライセンス情報および認証間隔情報をICカード１２から読み出すためのReadコマンドが添付されている。
【０１１３】
なお、ICカード１２において、ライセンス情報は暗号化された状態で格納され、認証間隔情報は暗号化されていない状態で格納されている。従って、それぞれ異なるコマンドを用いて読み出す必要がある場合には、ライセンス情報読み出し用と認証間隔情報読み出し用の２種類のReadコマンドがライセンス情報取得許可通知に添付される。
【０１１４】
一方、ライセンス認証サーバ１３は、ICカード１２との間の相互認証が失敗した場合、ライセンス情報取得許可通知を送信しない。
【０１１５】
そして、認証処理部５１が、ステップＳ１１の処理においてカード認証開始要求コマンドを送信してから所定の時間内に、ライセンス認証サーバ１３からライセンス情報取得許可通知を受信できなかった場合、処理はステップＳ１７に進む。
【０１１６】
ステップＳ１７において、コンテンツ再生デバイス１１は、ICカード１２の認証の失敗を通知する。具体的には、認証処理部５１は、ICカード１２の認証に失敗したことを通知部５２に通知する。そして、ステップＳ１の処理と同様にして、例えば、ICカード１２の認証の失敗を通知する画像表示や音声出力が行われる。
【０１１７】
ステップＳ１８において、認証処理部５１は、ICカード１２の認証を所定の回数失敗したか否かを判定する。ICカード１２の認証をまだ所定の回数失敗していないと判定された場合、処理はステップＳ８に戻る。
【０１１８】
その後、ステップＳ１６において、ライセンス認証サーバ１３からライセンス情報取得許可通知を受信したと判定されるか、ステップＳ１８において、ICカード１２の認証を所定の回数失敗したと判定されるまで、ステップＳ８乃至Ｓ１８の処理が繰り返し実行される。すなわち、ユーザがコンテンツ一覧の中から再生を希望するコンテンツを選択し、ICカード１２とライセンス認証サーバ１３との間で相互認証を試みる処理が繰り返される。
【０１１９】
一方、ステップＳ１８において、ICカード１２の認証を所定の回数失敗したと判定された場合、処理はステップＳ１９に進む。
【０１２０】
ステップＳ１９において、コンテンツ再生デバイス１１は、異常終了を通知する。具体的には、認証処理部５１は、ICカード１２の認証を所定の回数失敗したことを通知部５２に通知する。そして、ステップＳ１の処理と同様にして、例えば、ICカード１２の認証失敗によりコンテンツを再生できない旨を伝える画像表示や音声出力が行われる。
【０１２１】
その後、コンテンツ再生処理は終了する。
【０１２２】
一方、ステップＳ１６において、ステップＳ１１の処理においてカード認証開始要求コマンドを送信してから所定の時間内に、ライセンス認証サーバ１３からライセンス情報取得許可通知を受信した場合、処理はステップＳ２０に進む。
【０１２３】
ステップＳ２０において、コンテンツ再生デバイス１１は、ICカード１２にReadコマンドを転送する。すなわち、認証処理部５１は、ライセンス情報許可通知に添付されているReadコマンドを、そのままNFC通信部３２を介してICカード１２に送信する。
【０１２４】
ステップＳ２１において、コンテンツ再生デバイス１１は、ICカード１２からライセンス情報と認証間隔情報を取得する。具体的には、ICカード１２のNFC通信部１０６は、コンテンツ再生デバイス１１から送信されたReadコマンドを受信し、制御部１０１に供給する。制御部１０１は、Readコマンドにより指定されるコンテンツのライセンス情報を不揮発性メモリ１０４ａから読み出し、認証間隔情報を不揮発性メモリ１０４ｂから読み出す。制御部１０１は、NFC通信部１０６を介して、読み出したライセンス情報および認証間隔情報をコンテンツ再生デバイス１１に送信する。
【０１２５】
コンテンツ再生デバイス１１の認証処理部５１は、NFC通信部３２を介して、ICカード１２から送信されたライセンス情報および認証間隔情報を受信する。認証処理部５１は、受信したライセンス情報をコンテンツ受信部５３に供給する。
【０１２６】
ステップＳ２２において、コンテンツ再生デバイス１１は、ライセンス認証サーバ１３にライセンス情報を送信する。すなわち、コンテンツ受信部５３は、ICカード１２から取得したライセンス情報を、暗号化されたままNFC通信部３２を介してライセンス認証サーバ１３に送信する。
【０１２７】
ステップＳ２３において、コンテンツ受信部５３は、コンテンツを受信したか否かを判定する。
【０１２８】
具体的には、ライセンス認証サーバ１３は、コンテンツ再生デバイス１１から受信したライセンス情報の認証を行う。そして、ライセンス認証サーバ１３は、ライセンス情報の認証に失敗した場合、ライセンス情報をコンテンツ配信サーバ１４に転送しない。従って、コンテンツ配信サーバ１４からコンテンツ再生デバイス１１へのコンテンツの送信は行われない。この場合、コンテンツ受信部５３は、コンテンツを受信しなかったと判定し、処理はステップＳ２４に進む。
【０１２９】
ステップＳ２４において、コンテンツ再生デバイス１１は、ライセンス情報の認証の失敗を通知する。具体的には、コンテンツ受信部５３は、コンテンツを受信できなかったことを認証処理部５１に通知する。認証処理部５１は、ライセンス情報の認証の失敗を通知部５２に通知する。そして、ステップＳ１の処理と同様にして、例えば、ライセンス情報の認証に失敗した旨を通知する画像表示や音声出力が行われる。
【０１３０】
ステップＳ２５において、認証処理部５１は、ライセンス情報の認証を所定の回数失敗したか否かを判定する。ライセンス情報の認証をまだ所定の回数失敗していないと判定された場合、処理はステップＳ２０に戻る
【０１３１】
その後、ステップＳ２３において、コンテンツを受信したと判定されるか、ステップＳ２５において、ライセンス情報の認証を所定の回数失敗したと判定されるまで、ステップＳ２０乃至Ｓ２５の処理が繰り返し実行される。すなわち、コンテンツ再生デバイス１１が、ICカード１２からライセンス情報を取得し、ライセンス認証サーバ１３に送信し、コンテンツの送信を要求する処理が繰り返し実行される。
【０１３２】
一方、ステップＳ２５において、ライセンス情報の認証を所定の回数失敗したと判定された場合、処理はステップＳ２６に進む。
【０１３３】
ステップＳ２６において、コンテンツ再生デバイス１１は、異常終了を通知する。具体的には、認証処理部５１は、ライセンス情報の認証に所定の回数失敗したことを通知部５２に通知する。そして、ステップＳ１の処理と同様にして、例えば、ライセンス情報の認証失敗によりコンテンツを再生できない旨を伝える画像表示や音声出力が行われる。
【０１３４】
その後、コンテンツ再生処理は終了する。
【０１３５】
一方、ステップＳ２３において、ライセンス認証サーバ１３は、コンテンツ再生デバイス１１から受信したライセンス情報の認証に成功した場合、そのライセンス情報をコンテンツ配信サーバ１４に転送する。
【０１３６】
ライセンス情報を受信したコンテンツ配信サーバ１４は、例えば、ストリーミング形式でコンテンツの配信を行う場合、最初のライセンス情報の認証時には、受信したライセンス情報に対応するコンテンツのコンテンツ再生デバイス１１への送信を開始する。また、コンテンツ配信サーバ１４は、２回目以降のライセンス情報の認証時（すなわち、再認証時）には、例えば、コンテンツ再生デバイス１１へのコンテンツの送信をそのまま継続、または、再開（コンテンツの送信を一時停止している場合）する。
【０１３７】
一方、コンテンツ配信サーバ１４は、例えば、ダウンロード形式でコンテンツの配信を行う場合、最初の認証時または再認証時のいずれにおいても、受信したライセンス情報に対応するコンテンツのうち、次の認証時までに再生する分のデータをコンテンツ再生デバイス１１に送信する。
【０１３８】
そして、コンテンツ再生デバイス１１のコンテンツ受信部５３が、ネットワーク通信部３７を介して、コンテンツ配信サーバ１４からコンテンツを受信した場合、処理はステップＳ２７に進む。このとき、コンテンツ受信部５３は、コンテンツの受信に成功したことを認証処理部５１に通知する。
【０１３９】
ステップＳ２７において、ステップＳ８の処理と同様に、コンテンツの再生前であるか否かが判定され、コンテンツの再生前であると判定された場合、処理はステップＳ２８に進む。
【０１４０】
ステップＳ２８において、コンテンツ再生デバイス１１は、コンテンツの再生を開始する。具体的には、認証処理部５１は、コンテンツの再生をコンテンツ再生部５４に指令する。コンテンツ再生部５４は、コンテンツ受信部５３からコンテンツを取得し、再生する処理を開始する。また、コンテンツ再生部５４は、コンテンツの再生の結果得られる画像データを表示制御部５５に供給し、音声データを音声出力制御部５６に供給する。表示制御部５５は、取得した画像データに基づく画像を表示部３１に表示させ、音声出力制御部５６は、取得した音声データに基づく音声を音声出力部３５から出力させる。
【０１４１】
その後、処理はステップＳ３２に進む。
【０１４２】
一方、ステップＳ２７において、コンテンツの再生前でないと判定された場合、処理はステップＳ２９に進む。
【０１４３】
ステップＳ２９において、コンテンツ再生デバイス１１は、ライセンス情報の再認証の成功を通知する。具体的には、認証処理部５１は、ライセンス情報の再認証に成功したことを通知部５２に通知する。そして、ステップＳ１の処理と同様にして、例えば、ライセンス情報の再認証の成功によりコンテンツの再生を継続する旨を伝える画像表示や音声出力が行われる。
【０１４４】
なお、ライセンス情報の再認証の処理については後述する。
【０１４５】
ステップＳ３０において、認証処理部５１は、コンテンツの再生を一時停止中であるか否かを判定する。コンテンツの再生を一時停止中であると判定された場合、処理はステップＳ３１に進む。
【０１４６】
なお、これは、後述するように、ライセンス情報の再認証待ちのためコンテンツの再生が一時停止されている場合である。
【０１４７】
ステップＳ３１において、コンテンツ再生デバイス１１は、ステップＳ２８の処理と同様にして、一時停止しているコンテンツの再生を再開する。
【０１４８】
その後、処理はステップＳ３２に進む。
【０１４９】
一方、ステップＳ３０において、コンテンツの再生を一時停止中でないと判定された場合、すなわち、コンテンツの再生が継続している場合、ステップＳ３１の処理はスキップされ、処理はステップＳ３２に進む。
【０１５０】
この場合、コンテンツの再生がそのまま継続される。
【０１５１】
ステップＳ３２において、認証処理部５１は、タイマをスタートする。また、認証処理部５１は、タイマをスタートした時点から再生中のコンテンツの認証間隔が経過した時間をライセンス情報の有効期限に設定する。従って、有効期限は、ライセンス情報の認証または再認証に成功してから認証間隔が経過した時間とほぼ等しくなる。
【０１５２】
ステップＳ３３において、認証処理部５１は、ライセンス情報の有効期限までの残り時間が所定の時間以内（例えば、５分以内）であるか否かを判定する。この判定処理は、ライセンス情報の有効期限までの残り時間が所定の時間以内であると判定されるまで繰り返し実行される。そして、ライセンス情報の有効期限までの残り時間が所定の時間以内であると判定された場合、処理はステップＳ３４に進む。
【０１５３】
なお、以下、ライセンス情報の有効期限前の所定の期間、換言すれば、ライセンス情報の有効期限より所定の時間前（例えば、５分前）から有効期限までの期間を再認証受付期間と称する。また、以下、ライセンス情報の有効期限後の所定の期間、換言すれば、ライセンス情報の有効期限から所定の時間後（例えば、５分後）までの期間を再認証受付延長期間と称する。
【０１５４】
ステップＳ３４において、コンテンツ再生デバイス１１は、ライセンス情報の再認証の実行を促す。具体的には、認証処理部５１は、再認証受付期間に突入したことを通知部５２に通知する。そして、ステップＳ１の処理と同様にして、例えば、ライセンス情報の再認証の実行を促す画像表示や音声出力が行われる。
【０１５５】
図１１は、このとき表示部３１に表示される画面の一例を示している。この例では、表示部３１の右下隅の領域２０１に、再生中のコンテンツの画像（不図示）に重ねて、ライセンス情報の有効期限までの残り時間（＝再認証受付期間の残り時間）が表示されている。これにより、ユーザにライセンス情報の再認証が必要なこと、および、ライセンス情報の有効期限を認識させ、再認証の実行を促すことができる。
【０１５６】
なお、さらに、例えば、ICカード１２をNFC通信部３２のアンテナに翳すように促したり、再認証を実行しないとコンテンツの再生が停止する旨を伝えたりする画像表示や音声出力を行うようにしてもよい。
【０１５７】
ステップＳ３５において、ステップＳ２の処理と同様に、Pollingコマンドが送信される。
【０１５８】
ステップＳ３６において、ステップＳ３の処理と同様に、ICカード１２を捕捉したか否かが判定され、ICカード１２を捕捉していないと判定された場合、処理はステップＳ３７に進む。
【０１５９】
ステップＳ３７において、認証処理部５１は、ライセンス情報の有効期限に達したか否かを判定する。ライセンス情報の有効期限に達していないと判定された場合、処理はステップＳ３５に戻る。
【０１６０】
その後、ステップＳ３６において、ICカード１２を捕捉したと判定されるか、ステップＳ３７において、ライセンス情報の有効期限に達したと判定されるまで、ステップＳ３５乃至Ｓ３７の処理が繰り返し実行される。
【０１６１】
一方、ステップＳ３６において、ICカード１２を捕捉したと判定された場合、処理はステップＳ８に戻り、ステップＳ８以降の処理が実行される。すなわち、コンテンツ一覧の取得および表示を除いて、最初のライセンス情報の認証処理と同様にして、ライセンス認証サーバ１３によりライセンス情報の再認証が実行される。そして、再認証の結果に基づいて、コンテンツの再生が継続または停止される。
【０１６２】
一方、ステップＳ３７において、ライセンス情報の有効期限に達したと判定された場合、処理はステップＳ３８に進む。
【０１６３】
これは、再認証受付期間において、ライセンス情報の再認証が実行されなかった場合である。
【０１６４】
ステップＳ３８において、コンテンツ再生部５４は、認証処理部５１からの指令により、コンテンツの再生を一時停止する。そして、ライセンス情報の再認証が成功するまでコンテンツの再生が停止する。
【０１６５】
ステップＳ３９において、コンテンツ再生デバイス１１は、ライセンス情報の再認証の実行を再度促す。具体的には、認証処理部５１は、ライセンス情報の有効期限に達したことを通知部５２に通知する。そして、ステップＳ１の処理と同様にして、例えば、ライセンス情報の再認証の実行を再度促す画像表示や音声出力が行われる。
【０１６６】
具体的には、例えば、ライセンス情報の有効期限に達したために、コンテンツの再生を一時停止することを通知したり、ICカード１２をNFC通信部３２のアンテナに翳すように促したりする画像表示や音声出力が行われる。また、例えば、図１１の画面のように、再認証受付延長期間の残り時間を表示するようにしてもよい。
【０１６７】
ステップＳ４０において、ステップＳ２の処理と同様に、Pollingコマンドが送信される。
【０１６８】
ステップＳ４１において、ステップＳ３の処理と同様に、ICカード１２を捕捉したか否かが判定され、ICカード１２を捕捉していないと判定された場合、処理はステップＳ４２に進む。
【０１６９】
ステップＳ４２において、認証処理部５１は、再認証受付延長期間が経過したか否かを判定する。再認証延長期間が経過していないと判定された場合、処理はステップＳ４０に戻る。
【０１７０】
その後、ステップＳ４１において、ICカード１２を捕捉したと判定されるか、ステップＳ４２において、再認証受付延長期間が経過したと判定されるまで、ステップＳ４０乃至Ｓ４２の処理が繰り返し実行される。
【０１７１】
一方、ステップＳ４１において、ICカード１２を捕捉したと判定された場合、処理はステップＳ８に戻る。
【０１７２】
その後、ステップＳ８以降の処理が実行される。すなわち、コンテンツ一覧の取得および表示を除いて、最初のライセンス情報の認証処理と同様にして、ライセンス認証サーバ１３によりライセンス情報の再認証が実行される。そして、再認証の結果に基づいて、コンテンツの再生が一時停止された状態から再開するか、あるいは停止される。
【０１７３】
一方、ステップＳ４２において、再認証受付延長期間が経過したと判定された場合、処理はステップＳ４３に進む。
【０１７４】
これは、再認証受付期間および再認証受付延長期間において、ライセンス情報の再認証が実行されなかった場合である。
【０１７５】
ステップＳ４３において、コンテンツ再生部５４は、認証処理部５１からの指令により、コンテンツの再生を停止する。
【０１７６】
その後、コンテンツ再生処理は終了する。
【０１７７】
以上のように、コンテンツ再生デバイス１１のNFC通信部３２は、コンテンツの再生中に常時ICカード１２と通信を行う必要はなく、再生中のコンテンツの認証間隔に基づいて、定期的にICカード１２と通信を行えばよい。その結果、コンテンツ再生デバイス１１の消費電力を削減することができる。
【０１７８】
従って、例えば、コンテンツ再生デバイス１１がバッテリで動作する場合に、バッテリの消費を抑えることができる。その結果、例えば、コンテンツの再生中に、バッテリ切れによりコンテンツ再生デバイス１１が停止することを防止することができる。
【０１７９】
また、コンテンツの再生中にICカード１２を常時コンテンツ再生デバイス１１に近接させる必要がないため、ユーザビリティが向上する。
【０１８０】
さらに、コンテンツを配信する事業者等は、再認証間隔情報を用いて、ライセンス情報の再認証を行う間隔を自由に設定することができる。
【０１８１】
また、コンテンツ再生デバイス１１は、ICカード１２と相互認証を行ったり、ICカード１２のデータを読み書きしたりする機能を備える必要がない。さらに、ライセンス情報は、暗号化されたままICカード１２からコンテンツ再生デバイス１１を介してライセンス認証サーバ１３に送信され、認証間隔情報は暗号化されていないため、コンテンツ再生デバイス１１は、特に暗号化および復号する機能を備える必要がない。従って、コンテンツ再生デバイス１１は、ICカード１２のように耐タンパ性を備える必要がなく、低コスト化を実現することができる。
【０１８２】
＜２.変形例＞
以下、本技術の実施の形態の変形例について説明する。
【０１８３】
［変形例１］
例えば、再認証受付期間および再認証受付延長期間において、コンテンツ再生デバイス１１が自動的にPollingコマンドの送信を開始するのではなく、ユーザ操作によりPollingコマンドの送信を開始するようにしてもよい。例えば、図１１の画面において、ライセンス情報の再認証を実行するためのボタンを表示し、そのボタンが操作されたとき、Pollingコマンドの送信を開始するようにしてもよい。これにより、Pollingコマンドの送信期間をより短くすることができ、コンテンツ再生デバイス１１の消費電力をより削減することができる。
【０１８４】
［変形例２］
また、例えば、再認証受付期間および再認証受付延長期間のいずれか一方のみを設けるようにしてもよい。すなわち、ライセンス情報の有効期限前または有効期限後の一方のみで、ライセンス情報の再認証を受け付けるようにしてもよい。
【０１８５】
［変形例３］
さらに、例えば、認証間隔情報を暗号化した状態でICカード１２に格納し、コンテンツ再生デバイス１１に認証間隔情報を復号する機能を設けるようにしてもよい。
【０１８６】
［変形例４］
また、例えば、コンテンツ再生デバイス１１に、ICカード１２からデータを読み出す機能を設けるようにしてもよい。そして、コンテンツ再生デバイス１１が、Readコマンドを生成し、そのReadコマンドを用いて、ライセンス情報および認証間隔情報をICカード１２から読み出すようにしてもよい。
【０１８７】
［変形例５］
さらに、以上の説明では、ライセンス認証サーバ１３によるライセンス情報の再認証の結果に基づいて、コンテンツ配信サーバ１４におけるコンテンツの再生を継続または停止する例を示したが、コンテンツ配信サーバ１４の認証処理部５１等にライセンス情報の再認証を行う機能を持たせるにしてもよい。すなわち、コンテンツの配信を開始するときにライセンス認証サーバ１３でライセンス情報の認証を行った後は、コンテンツ再生デバイス１１が、認証間隔情報に基づいて定期的にICカード１２からライセンス情報を読み出し、再認証を行うようにしてもよい。そして、コンテンツ再生デバイス１１が、自身による再認証の結果に基づいて、コンテンツの再生を継続または停止するようにしてもよい。
【０１８８】
これにより、例えば、コンテンツをダウンロード形式で配信する場合、最初の認証時に再生するコンテンツの全てをコンテンツ配信サーバ１４からコンテンツ再生デバイス１１に送信しておき、後はライセンス認証サーバ１３およびコンテンツ配信サーバ１４を介さずに、コンテンツ再生デバイス１１が、コンテンツの再生および停止を制御することが可能になる。
【０１８９】
［変形例６］
また、本技術は、動画データ、音声データ等の連続再生されるコンテンツ以外のコンテンツ（例えば、各種のソフトウエア、テキストデータ、静止画データ等）を配信する場合にも適用することが可能である。例えば、そのようなコンテンツの使用期間を設定し、使用期間毎にライセンス情報の再認証を課す場合等に適用できる。
【０１９０】
［変形例７］
さらに、ライセンス情報の再認証時に、認証間隔情報をICカード１２から読み出さないようにしてもよい。
【０１９１】
［変形例８］
また、コンテンツ再生デバイス１１とICカード１２との間の近接無線通信の方式は、NFCに限定されるものではなく、任意の方式を採用することが可能である。
【０１９２】
［変形例９］
さらに、上述したライセンス認証に関わる機能の一部または全部を、コンテンツ再生デバイス１１の本体以外にも、例えば、コンテンツ再生デバイス１１を操作するためのリモートコントローラ等に設けるようにすることが可能である。
【０１９３】
［変形例１０］
また、ICカード１２の代わりに、近接無線通信が可能なICチップ、または、ICチップを搭載した各種の装置（例えば、ICタグ、携帯電話機、携帯情報端末等）を用いることが可能である。
【０１９４】
［変形例１１］
さらに、ライセンス認証サーバ１３とコンテンツ配信サーバ１４は、必ずしも個別に設ける必要はない。
【０１９５】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、コンテンツ再生デバイス１１の制御部１０１のように専用のハードウエアに組み込まれているコンピュータや、各種のプログラムをインストールすることで、各種の機能を実行することが可能な、例えば汎用のパーソナルコンピュータなどが含まれる。
【０１９６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９７】
また、本明細書において、システムの用語は、複数の装置、手段などより構成される全体的な装置を意味するものとする。
【０１９８】
さらに、本技術の実施の形態は、上述した実施の形態に限定されるものではなく、本技術の要旨を逸脱しない範囲において種々の変更が可能である。
【０１９９】
なお、本技術は以下のような構成も取ることができる。
（１）
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得する第１の通信部と、
前記ライセンス情報の認証を行うサーバに前記通信装置から取得した前記ライセンス情報を送信し、前記ライセンス情報の認証が成功した場合に前記コンテンツを配信するサーバから送信される前記コンテンツを取得する第２の通信部と、
前記コンテンツを配信するサーバから取得した前記コンテンツを再生する再生部と
を備え、
前記第１の通信部は、前記コンテンツの再生中に、前記認証間隔情報に基づいて、定期的に前記ライセンス情報を取得するために前記通信装置との近接無線通信を試み、
前記再生部は、前記コンテンツの再生中に前記通信装置から取得した前記ライセンス情報による再認証の結果に基づいて、前記コンテンツの再生を継続または停止する
情報処理装置。
（２）
前記第１の通信部は、前記コンテンツの再生中に、前記認証間隔情報に基づく前記ライセンス情報の有効期限前の所定の第１の期間および前記有効期限後の所定の第２の期間の少なくとも一方において、前記ライセンス情報を取得するために前記通信装置との近接無線通信を試みる
前記（１）に記載の情報処理装置。
（３）
前記第１の期間および前記第２の期間の少なくとも一方において、前記ライセンス情報の再認証の実行をユーザに促す通知を行う通知部を
さらに備える前記（３）に記載の情報処理装置。
（４）
前記第１の通信部は、前記第１の期間および前記第２の期間の少なくとも一方において、ユーザ操作により前記ライセンス情報を取得するために前記通信装置との近接無線通信を試みる
前記（２）または（３）に記載の請求項２に記載の情報処理装置。
（５）
前記再生部は、前記有効期限が経過してから前記ライセンス情報の再認証が成功するまでの間、前記コンテンツの再生を停止する
前記（２）から（４）のいずれかに記載の情報処理装置。
（６）
前記第２の通信部は、前記ライセンス情報および前記認証間隔情報を前記通信装置から取得するためのコマンドを前記ライセンス情報の認証を行うサーバから取得し、
前記第１の通信部は、前記ライセンス情報の認証を行うサーバから取得した前記コマンドを用いて前記ライセンス情報および前記認証間隔情報を前記通信装置から取得する
前記（１）から（５）のいずれかに記載の情報処理装置。
（７）
前記ライセンス情報は暗号化された状態で前記通信装置に格納され、前記認証間隔情報は暗号化されていない状態で前記通信装置に格納され、
前記第２の通信部は、前記コマンドを用いて取得した前記ライセンス情報を暗号化されたまま前記ライセンス情報の認証を行うサーバに送信する
前記（６）に記載の情報処理装置。
（８）
前記第２の通信部は、前記コンテンツの再生中に前記通信装置から取得した前記ライセンス情報を前記ライセンス情報の認証を行うサーバに送信し、
前記再生部は、前記ライセンス情報の認証を行うサーバによる前記ライセンス情報の再認証の結果に基づいて、前記コンテンツの再生を継続または停止する
前記（１）から（７）のいずれかに記載の情報処理装置。
（９）
前記ライセンス情報の再認証を行う再認証部をさらに備え、
前記再生部は、前記再認証部による前記ライセンス情報の再認証の結果に基づいて、前記コンテンツの再生を継続または停止する
前記（１）から（７）のいずれかに記載の情報処理装置。
（１０）
所定のコンテンツを利用するためのライセンス情報および前記ライセンス情報の再認証を行う間隔を示す認証間隔情報を格納する通信装置と近接無線通信を行い、前記ライセンス情報および前記認証間隔情報を取得し、
前記ライセンス情報の認証を行うサーバに前記通信装置から取得した前記ライセンス情報を送信し、
前記ライセンス情報の認証が成功した場合に前記コンテンツを配信するサーバから送信される前記コンテンツを取得し、
前記コンテンツを配信するサーバから取得した前記コンテンツを再生し、
前記コンテンツの再生中に、前記認証間隔情報に基づいて、定期的に前記ライセンス情報を取得するために前記通信装置との近接無線通信を試み、
前記コンテンツの再生中に前記通信装置から取得した前記ライセンス情報による再認証の結果に基づいて、前記コンテンツの再生を継続または停止する
ステップを含む情報処理方法。
（１１）
所定のコンテンツを利用するためのライセンス情報および前記ライセンス情報の再認証を行う間隔を示す認証間隔情報を格納する記憶部と、
前記コンテンツを再生する情報処理装置と近接無線通信を行い、前記情報処理装置からの要求に応じて、前記ライセンス情報および前記認証間隔情報を前記情報処理装置に送信する通信部と
を備える通信装置。
（１２）
前記ライセンス情報は暗号化された状態で前記記憶部に格納され、前記認証間隔情報は暗号化されていない状態で前記記憶部に格納される
前記（１１）に記載の通信装置。
【符号の説明】
【０２００】
１  コンテンツ配信システム，  １１  コンテンツ再生デバイス，  １２  ICカード，  １３  ライセンス認証サーバ，  １４  コンテンツ配信サーバ，  １５  インターネット，  ３１  表示部，  ３２  NFC通信部，  ３３  制御部，  ３５  音声出力部，  ３７  ネットワーク通信部，  ５１  認証処理部，  ５２  通知部，  ５３  コンテンツ受信部，  ５４  コンテンツ再生部，  ５５  表示制御部，  ５６  音声出力制御部，  １０１  制御部，  １０４ａ，１０４ｂ  不揮発性メモリ，  １０６  NFC通信部
【図１】
2012205210.tif 000003
【図２】
2012205210.tif 000004
【図３】
2012205210.tif 000005
【図４】
2012205210.tif 000006
【図５】
2012205210.tif 000007
【図６】
2012205210.tif 000008
【図７】
2012205210.tif 000009
【図８】
2012205210.tif 000010
【図９】
2012205210.tif 000011
【図１０】
2012205210.tif 000012
【図１１】
2012205210.tif 000013